【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
上下に重ねて設置される第１衣類処理槽及び第２衣類処理槽を含む衣類処理装置のフレームであって、
前記フレームは、前記第２衣類処理槽を載置するための下フレームを含み、前記下フレームの上部には上方へ延伸する上フレームが装着されており、前記第１衣類処理槽が前記上フレーム内に装着されることを特徴とするフレーム。
【請求項２】
前記下フレームは水平に設置される四角形のベースを含み、前記ベースの四隅には、上方へ垂直に延伸する縦梁がそれぞれ設けられており、左右両側の隣り合う前記縦梁同士が、それぞれ中央補強部材を介して接続及び固定することで、前記第２衣類処理槽を装着するためのフレーム構造を規定することを特徴とする請求項１に記載の衣類処理装置のフレーム。
【請求項３】
前記上フレームは、前側寄りの左右両端に設けられた上方へ垂直に延伸する２本の上縦梁を含み、２本の前記上縦梁の下端はいずれも前記下フレームに固定接続され、２本の前記上縦梁の上部には後方へ延伸する上補強部材がそれぞれ接続されていることを特徴とする請求項２に記載の衣類処理装置のフレーム。
【請求項４】
前記上フレームの前記上縦梁の下端は、前記下フレームの前記中央補強部材及び／又は前記縦梁の上端に固定接続されることを特徴とする請求項３に記載の衣類処理装置のフレーム。
【請求項５】
前記上縦梁の上端には後方へ水平に屈曲するフランジが設けられており、前記上補強部材の端部が、前記フランジの上側に然るべく密着して載置されるとともに、ネジにより固定接続され、
好ましくは、前記上縦梁は、横断面が「Ｌ」型をなす２つの帯状の側板から構成され、２つの帯状の前記側板とは、それぞれ、前記フレームの前側に対し平行又は重なり合うように設置される前部側板と、前記フレームの側部に対し平行又は重なり合うように設置される側部側板であり、前記前部側板の上端には水平に延伸する開口が設けられており、前記側部側板の上端には水平に延伸する折れ線が設けられており、前記折れ線と前記開口は面一に設けられ、前記上縦梁の上端が前記折れ線周りに後方へ９０度屈曲することで、前記上縦梁の屈曲部が前記フランジを構成することを特徴とする請求項３に記載の衣類処理装置のフレーム。
【請求項６】
前記フランジは、前記上縦梁の前記前部側板の上端から後方へ水平に屈曲する水平フランジと、前記水平フランジの側部から下方へ垂直に屈曲する垂直フランジを含み、前記垂直フランジは、前記上縦梁の前記側部側板に然るべく密着するよう設置されるとともに、リベット接合により固定され、前記上補強部材の端部は前記水平フランジの上側に載置されて前記ネジで接続され、
好ましくは、前記水平フランジの端部が前記上縦梁から突出するよう設けられ、前記上補強部材の載置及び密着に供されるよう、前記水平フランジの後方への延伸長さは、前記上縦梁の前記側部側板の水平幅よりも大きいことを特徴とする請求項５に記載の衣類処理装置のフレーム。
【請求項７】
前記上補強部材は断面が「Ｌ」の帯状構造であり、前記上補強部材の両側の内壁が、それぞれ前記水平フランジの上側及び前記垂直フランジの外側に然るべく位置規制されるよう接触することを特徴とする請求項６に記載の衣類処理装置のフレーム。
【請求項８】
ヒートポンプシステム、フレーム、及び前記フレームに装着される装着台を含み、前記ヒートポンプシステムがコンプレッサと冷却ファンを含み、前記コンプレッサが前記装着台に装着される衣類処理装置であって、
前記冷却ファンは、前記フレームに固定されるとともに、前記コンプレッサに対向するよう設置されることを特徴とする請求項１〜７のいずれか１項に記載の衣類処理装置。
【請求項９】
前記フレームは、前記衣類処理装置の側板を固定するための側部フレームを含み、前記冷却ファンが前記側部フレームに固定されることを特徴とする請求項８に記載の衣類処理装置。
【請求項１０】
前記側部フレームは垂直に設置される２本の縦梁を含み、２本の前記縦梁の間には補強部材が接続されており、前記冷却ファンは、前記補強部材及び／又は前記縦梁に固定されることを特徴とする請求項９に記載の衣類処理装置。
【請求項１１】
前記フレーム内には、第１衣類処理槽と第２衣類処理槽が上下に装着されており、前記装着台は、前記フレーム内に固定されて前記第１衣類処理槽と前記第２衣類処理槽の間に位置し、前記装着台の中央部を前記第２衣類処理槽から退避するよう突出させることで退避部を形成しており、前記装着台のうち前記退避部の一方の側が平面構造をなすよう設けられて装着部を形成しており、前記コンプレッサは前記装着部に装着され、前記冷却ファンは、前記フレームのうち前記装着部側に位置する補強部材及び／又は縦梁に固定されることを特徴とする請求項１０に記載の衣類処理装置。
【請求項１２】
前記冷却ファンは、固定フレームを介して前記フレームに固定され、前記固定フレームは、前記冷却ファンを装着する固定部と、前記補強部材及び／又は前記縦梁に接続及び固定される接続部を含み、前記固定部は、前記冷却ファンの吸気面が前記コンプレッサに正対して設置されるよう、前記コンプレッサに向かって傾斜して設けられることを特徴とする請求項１０〜１１のいずれか１項に記載の衣類処理装置。
【請求項１３】
前記固定フレームの前記接続部は前記固定部の両側に位置しており、一方が前記補強部材に接続及び固定されるとともに、他方が前記補強部材に接続される前部の前記縦梁に固定されることを特徴とする請求項１２に記載の衣類処理装置。
【請求項１４】
フレームと、前記フレーム内にそれぞれ装着される第１衣類処理槽及び第２衣類処理槽を含む衣類処理装置であって、
更に、ヒートポンプシステムと装着台を含み、前記装着台は、前記フレームに固定されるとともに、前記第１衣類処理槽と前記第２衣類処理槽の間に位置し、前記装着台は、部分的に突出した退避部と、平面をなすよう設けられる装着部を含み、前記ヒートポンプシステムはコンプレッサを含み、前記コンプレッサは前記装着台の前記装着部に固定されることを特徴とする衣類処理装置。
【請求項１５】
前記第１衣類処理槽と前記第２衣類処理槽は前記フレーム内に上下に装着され、前記退避部は、前記装着台のうち前記第２衣類処理槽の天井部の表面に対応して設けられる上方へ突出したアーチ型構造をなしており、前記アーチ型構造の少なくとも１つの辺が水平に延伸することで前記装着部を形成しており、前記コンプレッサが前記装着台の前記装着部に固定されることを特徴とする請求項１４に記載の衣類処理装置。
【請求項１６】
前記コンプレッサは、固定プレートを介して垂直に前記装着台に固定されることを特徴とする請求項１４〜１５のいずれか１項に記載の衣類処理装置。
【請求項１７】
固定プレートは、プレート状本体と、前記プレート状本体に固定接続される固定支持脚を含み、前記固定支持脚を前記装着台に固定装着することで前記プレート状本体を一定の高さだけ上昇させ、前記コンプレッサは前記プレート状本体に装着されることを特徴とする請求項１６に記載の衣類処理装置。
【請求項１８】
前記コンプレッサの底部には底脚が設けられており、前記プレート状本体には、緊締部材によって前記コンプレッサの前記底脚を接続及び固定するために接続孔が開設されており、前記固定支持脚は、前記プレート状本体にそれぞれ接続される複数の接続片を含んでおり、各前記接続片は、前記プレート状本体の上部外側に向かって屈曲することで屈曲面を形成しており、各前記屈曲面には、前記装着台に接続及び固定するための接続孔が開設されていることを特徴とする請求項１７に記載の衣類処理装置。
【請求項１９】
前記プレート状本体は三角形構造をなしており、前記三角形構造の３つの角に接続孔がそれぞれ開設されており、各前記接続孔は、前記コンプレッサの３つの底脚にそれぞれ対応しており、緊締部材による接続及び固定に用いられ、前記固定支持脚は、前記三角形構造の３つ辺にそれぞれ接続される接続片を含んでおり、各前記接続片は、それぞれ前記三角形構造の上部外側に向かって屈曲することで屈曲面を形成しており、各前記屈曲面には、前記緊締部材によって前記装着台に接続及び固定するための接続孔が設けられていることを特徴とする請求項１７又は１８に記載の衣類処理装置。
【請求項２０】
前記コンプレッサの底脚は底端よりも高くなっており、前記プレート状本体の中央部には退避孔が開設されており、前記コンプレッサの底端は前記退避孔に当接し、前記退避孔が前記コンプレッサを支持することを特徴とする請求項１７〜１９のいずれか１項に記載の衣類処理装置。